(57)【要約】【課題】放電生成物の生成を抑制し、放電電極に対する放電生成物等の浮遊物の付着量を減らして帯電器の劣化を抑制する定着装置を提供する。【解決手段】  本発明の定着装置７は、回転しながらシートＳ上のトナー像を加熱する定着ローラー３１と、回転しながら定着ローラー３１とで定着ニップＮ２を形成し、定着ニップＮ２を通過するシートＳを加圧する加圧ローラー３２と、定着ローラー３１に対向する放電電極４０の周囲に生じた電界で起こるコロナ放電を利用して定着ローラー３１をトナー像のトナーと同極性に帯電させる帯電器３４と、を備え、帯電器３４は、放電電極４０に定着バイアスを印加する定着バイアス電源４３を含み、定着バイアス電源４３と放電電極４０との間に生じる定着電圧値の減少に応じて定着バイアスを増加させ、定着バイアス電源４３と放電電極４０との間に生じる定着電圧値の増加に応じて定着バイアスを減少させる。【選択図】図４
2018112585.tif 000002
【特許請求の範囲】
【請求項１】
回転しながら媒体上のトナー像を加熱する定着部材と、
回転しながら前記定着部材とでニップを形成し、前記ニップを通過する前記媒体を加圧する加圧部材と、
前記定着部材に対向する放電電極の周囲に生じた電界で起こるコロナ放電を利用して前記定着部材を前記トナー像のトナーと同極性に帯電させる帯電器と、を備え、
前記帯電器は、前記放電電極にバイアスを印加する電源を含み、前記電源と前記放電電極との間に生じる電圧値の減少に応じて前記放電電極に印加するバイアスを増加させ、前記電源と前記放電電極との間に生じる電圧値の増加に応じて前記放電電極に印加するバイアスを減少させることを特徴とする定着装置。
【請求項２】
前記帯電器は、
前記電源と前記放電電極との間に生じる電圧値を計測する計測部と、
前記媒体が前記ニップを通過している状態において前記計測部に計測された電圧値に応じて前記放電電極に印加するバイアスを変更する制御部と、を更に含んでいることを特徴とする請求項１に記載の定着装置。
【請求項３】
前記放電電極は、複数の針電極を前記定着部材の軸方向に並べて形成されていることを特徴とする請求項１または２に記載の定着装置。
【請求項４】
前記帯電器は、前記放電電極を挟んで対向して設けられ、ツェナーダイオードを介して接地する一対の接地電極を含んでいることを特徴とする請求項１ないし３のいずれかに記載の定着装置。
【請求項５】
請求項１ないし４のいずれかに記載の定着装置を備えたことを特徴とする画像形成装置。
【発明の詳細な説明】
【技術分野】
【０００１】
本発明は、定着装置およびこれを備えた画像形成装置に関する。
【背景技術】
【０００２】
電子写真方式の画像形成装置は、各々回転する定着部材と加圧部材とで形成したニップを通過する媒体にトナー像を熱定着させる定着装置を備えている。定着部材の表面は、電気絶縁性の材料で形成されており、ニップを通過する媒体との摩擦によってトナーの極性とは逆極性に帯電することがある。すると、媒体上のトナーが定着部材の表面に付着し、そのトナーが後からニップを通過する媒体に転移するオフセット現象が発生する。
【０００３】
このオフセット現象を抑制するための技術が提案されている。例えば、特許文献１に記載の画像形成装置は、感光体上のトナー像を用紙に転写するために用紙をトナーと逆極性に帯電させる転写帯電器と、転写後の用紙をトナーと同極性に帯電させる分離帯電器と、定着装置の定着ローラーの表面をトナーと同極性に帯電させるオフセット防止バイアス用電源（オフセット防止用帯電器）と、を備えている。転写帯電器、分離帯電器およびオフセット防止用帯電器は、それぞれ、電極周りの電界で生じたコロナ放電を利用した帯電器である。オフセット防止用帯電器は、分離帯電器による除電電荷量の変化に連動して、定着ローラーに印加する電界の強度を変化させている。
【先行技術文献】
【特許文献】
【０００４】
【特許文献１】特開平０７−１７５３５６号公報
【発明の概要】
【発明が解決しようとする課題】
【０００５】
しかしながら、上記のオフセット防止用帯電器は、分離帯電器で除電した用紙を更にトナーの極性と同じになるように帯電させなければならず、非常に強い電界を発生させなければならなかった。強い電界はオゾン等の放電生成物を大量に生成するという問題があった。また、定着装置でトナー像が加熱されると、トナーの成分（例えば、ワックス）が揮発して浮遊する。放電生成物やワックス等の浮遊物はオフセット防止用帯電器の電極に付着し易く、放電生成物等が付着した電極は定着部材を均一に帯電させることができないという問題があった。
【０００６】
本発明は、上記課題を解決するために、放電生成物の生成を抑制し、放電電極に対する放電生成物等の浮遊物の付着量を減らして帯電器の劣化を抑制する定着装置およびこれを備えた画像形成装置を提供する。
【課題を解決するための手段】
【０００７】
上記した目的を達成するため、本発明の定着装置は、回転しながら媒体上のトナー像を加熱する定着部材と、回転しながら前記定着部材とでニップを形成し、前記ニップを通過する前記媒体を加圧する加圧部材と、前記定着部材に対向する放電電極の周囲に生じた電界で起こるコロナ放電を利用して前記定着部材を前記トナー像のトナーと同極性に帯電させる帯電器と、を備え、前記帯電器は、前記放電電極にバイアスを印加する電源を含み、前記電源と前記放電電極との間に生じる電圧値の減少に応じて前記放電電極に印加するバイアスを増加させ、前記電源と前記放電電極との間に生じる電圧値の増加に応じて前記放電電極に印加するバイアスを減少させる。
【０００８】
この場合、前記帯電器は、前記電源と前記放電電極との間に生じる電圧値を計測する計測部と、前記媒体が前記ニップを通過している状態において前記計測部に計測された電圧値に応じて前記放電電極に印加するバイアスを変更する制御部と、を更に含んでいることが好ましい。
【０００９】
この場合、前記放電電極は、複数の針電極を前記定着部材の軸方向に並べて形成されていることが好ましい。
【００１０】
この場合、前記帯電器は、前記放電電極を挟んで対向して設けられ、ツェナーダイオードを介して接地する一対の接地電極を含んでいることが好ましい。
【００１１】
上記した目的を達成するため、本発明の画像形成装置は、上記のいずれかに記載の定着装置を備えている。
【発明の効果】
【００１２】
本発明によれば、放電生成物の生成を抑制することができる。放電電極に対する放電生成物等の浮遊物の付着量を減らして帯電器の劣化を抑制することができる。
【図面の簡単な説明】
【００１３】
【図１】本発明の一実施形態に係るカラープリンターの内部構造を模式的に示す断面図である。
【図２】本発明の一実施形態に係る定着装置を模式的に示す断面図である。
【図３】本発明の一実施形態に係る定着装置の帯電器の放電電極を模式的に示す側面図である。
【図４】本発明の一実施形態に係る定着装置（帯電器）を模式的に示す断面図である。
【図５】本発明の一実施形態に係る定着装置の定着バイアス電源の電圧値と定着バイアスとの関係を示すグラフである。
【図６】本発明の一実施形態に係る定着装置の定着バイアスの制御を示すフローチャートである。
【発明を実施するための形態】
【００１４】
以下、添付の図面を参照しつつ、本発明の実施形態について説明する。なお、図１等の紙面手前が正面であり、各図に示す「Ｆｒ」は「前」を示し、「Ｒｒ」は「後」を示し、「Ｌ」は「左」を示し、「Ｒ」は「右」を示し、「Ｕ」は「上」を示し、「Ｄ」は「下」を示している。
【００１５】
＜カラープリンターの全体構成＞
図１を参照して、画像形成装置の一例としてのカラープリンター１の全体構成について説明する。図１はカラープリンター１の内部構造を模式的に示す断面図である。
【００１６】
カラープリンター１は、略直方体状の外観を構成する装置本体２を備えている。装置本体２の下部には、紙製のシートＳ（の束）を収容する給紙カセット３が着脱可能に設けられている。装置本体２の上面には、排紙トレイ４が設けられている。なお、媒体の一例としてのシートＳは、紙製に限らず、樹脂製のシート等であってもよい。
【００１７】
また、カラープリンター１は、給紙装置５と、作像装置６と、定着装置７と、を装置本体２の内部に備えている。給紙装置５は、給紙カセット３から排紙トレイ４まで延びる搬送路８の上流端部に設けられている。定着装置７は搬送路８の下流側に設けられ、作像装置６は搬送路８において給紙装置５と定着装置７との間に設けられている。
【００１８】
作像装置６は、４つのトナーコンテナ１０と、中間転写ベルト１１と、４つのドラムユニット１２と、光走査装置１３と、を含んでいる。４つのトナーコンテナ１０は、４色（イエロー，マゼンタ，シアン，ブラック）のトナー（現像剤）を収容する。中間転写ベルト１１は、図１で左回りに回転する。各ドラムユニット１２は、感光体ドラム１４と、帯電装置１５と、現像装置１６と、一次転写ローラー１７と、クリーニング装置１８と、を含んでいる。各一次転写ローラー１７は、感光体ドラム１４との間に中間転写ベルト１１を挟むように設けられている。中間転写ベルト１１の右側には、二次転写ローラー１９が接触して転写ニップＮ１を形成している。
【００１９】
カラープリンター１は以下の手順でシートＳに画像形成を行う。各帯電装置１５は、感光体ドラム１４の表面を帯電させる。各感光体ドラム１４は、光走査装置１３から出射された走査光を受け、静電潜像を担持する。各現像装置１６は、トナーコンテナ１０から供給されたトナーを用いて感光体ドラム１４上の静電潜像をトナー像に現像する。各一次転写ローラー１７は、感光体ドラム１４上のトナー像を回転する中間転写ベルト１１に一次転写する。中間転写ベルト１１は、回転しながら４色のトナー像を重ねたフルカラーのトナー像を担持する。シートＳは、給紙装置５によって給紙カセット３から搬送路８に送り出される。二次転写ローラー１９は、転写ニップＮ１を通過するシートＳに中間転写ベルト１１上のトナー像を二次転写する。定着装置７はトナー像をシートＳに熱定着させる。その後、シートＳは排紙トレイ４に排出される。各クリーニング装置１８は感光体ドラム１４上に残ったトナーを除去する。
【００２０】
＜定着装置＞
図２ないし図４を参照して、定着装置７の構成について説明する。図２は定着装置７を模式的に示す断面図である。図３は帯電器３４の放電電極４０を模式的に示す側面図である。図４は定着装置７（帯電器３４）を模式的に示す断面図である。
【００２１】
図２に示すように、定着装置７は、定着ローラー３１と、加圧ローラー３２と、発熱ユニット３３と、帯電器３４と、を含んでいる。定着ローラー３１および加圧ローラー３２は、前後方向（軸方向）に長い略円筒状の部材である。発熱ユニット３３は、定着ローラー３１を加熱するための装置である。帯電器３４は、定着ローラー３１の表面を帯電させるための装置である。
【００２２】
定着部材の一例としての定着ローラー３１は、定着芯金３１Ａと、定着弾性層３１Ｂと、定着ベルト３１Ｃと、を含んでいる。
【００２３】
定着芯金３１Ａは、例えば、金属材料で略円筒状に形成されている。定着芯金３１Ａの前後両端部は、一対の板金（図示せず）に回転可能に支持されている。定着弾性層３１Ｂは、例えば、シリコンゴム等で構成され、定着芯金３１Ａの外周面に積層されている。定着ベルト３１Ｃは、定着弾性層３１Ｂを覆うように設けられている。定着ベルト３１Ｃは、例えば、基材（ニッケル等）上に設けた弾性層（シリコンゴム等）を覆う離形層（ＰＦＡチューブ等）を含んでいる（いずれも図示せず）。
【００２４】
加圧部材の一例としての加圧ローラー３２は、加圧芯金３２Ａと、加圧弾性層３２Ｂと、加圧離型層３２Ｃと、を含んでいる。
【００２５】
加圧芯金３２Ａは、例えば、金属材料で略円筒状に形成されている。加圧芯金３２Ａの前後両端部は、一対の可動板金（図示せず）に回転可能に支持されている。加圧弾性層３２Ｂは、例えば、シリコンゴム等で構成され、加圧芯金３２Ａの外周面に積層されている。加圧離型層３２Ｃは、例えば、ＰＦＡチューブ等で構成され、定着弾性層３１Ｂを覆うように設けられている。
【００２６】
加圧ローラー３２は、ギア列等を介してモーター等（図示せず）に接続され、モーターの駆動力を受けて回転する。加圧ローラー３２は、各可動板金を介してバネ（図示せず）に付勢されて定着ローラー３１に押し付けられている。定着ローラー３１は、加圧ローラー３２に従動して軸周りに回転する。加圧ローラー３２は、回転しながら定着ローラー３１とで定着ニップＮ２を形成している。なお、本実施形態では、加圧ローラー３２を回転駆動させていたが、これに限らず、定着ローラー３１を回転駆動させ、加圧ローラー３２を従動回転させてもよい。
【００２７】
定着ニップＮ２よりも搬送路８の上流側には、シートＳを定着ニップＮ２に導くための進入ガイド３６が設けられている。定着ニップＮ２よりも搬送路８の下流側には、定着ニップＮ２を通過したシートＳを定着ベルト３１Ｃから剥がすための分離板３７が設けられている。また、分離板３７よりも搬送路８の下流側には、シートＳの通過を検知するセンサー３８が設けられている。センサー３８は、定着ニップＮ２を通過したシートＳを検知した場合（図２の二点鎖線参照）にＯＮ信号を出力し、シートＳを検知していない場合（図２の実線参照）にＯＦＦ信号を出力する。
【００２８】
発熱ユニット３３は、定着ローラー３１を挟んで定着ニップＮ２の反対側に設けられている。発熱ユニット３３は、ホルダー３３Ａと、複数のＩＨコイル３３Ｂと、アーチコア３３Ｃと、を含んでいる。ホルダー３３Ａは、略半円筒状に形成され、定着ローラー３１を覆うように設けられている。複数のＩＨコイル３３Ｂは、ホルダー３３Ａに支持されている。アーチコア３３Ｃは、フェライト等の強磁性体で形成され、複数のＩＨコイル３３Ｂを覆うように設けられている。
【００２９】
ここで、定着装置７の作用について説明する。定着ローラー３１と加圧ローラー３２とは、各々軸周りに回転する。各ＩＨコイル３３Ｂは、電源（図示せず）から電力の供給を受けて高周波磁界を発生させて回転する定着ベルト３１Ｃを加熱する。画像形成を行う場合において、定着ローラー３１は、軸周りに回転しながら定着ニップＮ２を通過するシートＳ上のトナー像を加熱する。加圧ローラー３２は、軸周りに回転しながら定着ニップＮ２を通過するシートＳを加圧する。すると、トナー像がシートＳに定着する。
【００３０】
定着ベルト３１Ｃは、電気絶縁性のＰＦＡチューブ等で形成されているため、定着ニップＮ２を通過するシートＳとの摩擦によって負極性に帯電することがある。すると、シートＳ上の正極性のトナーが定着ベルト３１Ｃに付着し、そのトナーが後から定着ニップＮ２を通過するシートＳに転移するオフセット現象が発生する。そこで、第１実施形態に係る定着装置７は、定着ローラー３１（定着ベルト３１Ｃ）をトナー像のトナーと同極性（正極性）に帯電させる帯電器３４を備えている。
【００３１】
＜帯電器＞
図２に示すように、帯電器３４は、定着ニップＮ２よりも搬送路８の上流側に配置されている。換言すれば、帯電器３４は、定着ニップＮ２を始点として定着ローラー３１の回転方向下流側に配置されている。帯電器３４は、放電電極４０と、シールド４１と、絶縁支持体４２と、定着バイアス電源４３（図４参照）と、を含んでいる。
【００３２】
図３に示すように、放電電極４０は、例えば、厚さ０．１ｍｍ程度のステンレス板であって、略三角形状の複数の針電極４０Ａを前後方向に並べて略鋸歯状に形成されている。図２に示すように、放電電極４０は定着ローラー３１に対向し、その先端は、定着ローラー３１の表面に近接している。シールド４１は、金属材料で定着ローラー３１側を開放した略箱状に形成されている。シールド４１の開放側は、放電電極４０を挟んで対向する一対の接地電極４４を形成している。一対の接地電極４４は、それぞれ、ツェナーダイオード４５を介して接地している（図４参照）。絶縁支持体４２は、電気絶縁性を有する材料で形成されている。上記した放電電極４０は、絶縁支持体４２を介してシールド４１に支持されている。放電電極４０は、絶縁支持体４２からシールド４１の開放側に延びた状態で支持されている。
【００３３】
図４に示すように、定着バイアス電源４３は、計測部４６を介して放電電極４０に電気的に接続されている。定着バイアス電源４３は、放電電極４０に電流（定着バイアス）を印加する。定着バイアス電源４３は、定着バイアスの出力を増減する可変回路４３Ａを含んでいる。帯電器３４は、放電電極４０の周囲に生じた電界で起こるコロナ放電を利用して定着ローラー３１を（正極性に）帯電させるコロトロン帯電器である。計測部４６は、定着バイアス電源４３と放電電極４０との間に電気的に接続されている。計測部４６は、定着バイアス電源４３と放電電極４０との間に生じる電圧値（以下、「定着電圧値」という。）を計測する装置である。
【００３４】
ところで、コロナ放電を利用した帯電器３４は、オゾン、窒素酸化物、硝酸イオン、アンモニウムイオン等の放電生成物を生成することが知られている。放電電極４０の周囲に形成される電界が強い程、放電生成物の生成量が増加する。また、トナーには、熱と圧力を加えられて融けたトナーが定着ローラー３１に貼り付かないようにワックスが含まれている。このワックスは、定着処理時にトナー像（トナー）から揮発し、定着ローラー３１等の周囲に浮遊する浮遊物になる。放電生成物や浮遊物は、電界の発生源である放電電極４０に付着し易い。放電生成物や浮遊物が放電電極４０に付着すると、適正なコロナ放電を発生させることができなくなり、定着ベルト３１Ｃを軸方向に均一に帯電させることが困難になることがある。
【００３５】
オフセット現象は常に発生するものではなく、含水率の高い（電気的抵抗の低い）シートＳに画像形成を行う場合や、高温多湿の環境で画像形成を行う場合等に発生し易い。帯電器３４の帯電性能を長期間に亘って維持するためには、シートＳの含水率等に応じて、帯電器３４による電界の強度をコントロールすることが望ましい。そこで、本実施形態に係る定着装置７は、シートＳの含水率等に応じて放電電極４０に印加する定着バイアスを変更する制御部４７を備えている。
【００３６】
＜制御部＞
図４および図５を参照して、制御部４７について説明する。図５は定着バイアス電源４３の電圧値と定着バイアスとの関係を示すグラフである。
【００３７】
制御部４７は、ＣＰＵ、メモリーおよび入出力ポート等（いずれも図示せず）を含む装置である。ＣＰＵは、メモリーに記憶されたプログラムやデータ等に従って様々な演算処理を実行する。制御部４７は、入出力ポートを介してセンサー３８、可変回路４３Ａおよび計測部４６等に電気的に接続されている（図４参照）。
【００３８】
メモリーには、定着電圧値と、放電電極４０に印加する定着バイアスと、を対応させるテーブルが記憶されている。テーブルは、図５に示すグラフに対応するものであって、定着電圧値が低い場合には定着バイアスが高く設定され、定着電圧値が高い場合には定着バイアスが低く設定されている。例えば、定着電圧値が３つの範囲（図５のＶ１〜Ｖ３参照）に区分けされ、３つの範囲の定着電圧値に対応するように３段階の定着バイアス（図５のＢ１〜Ｂ３参照）が設定されている。ここで、図５において、Ａ２は定着電圧値の標準値（範囲）であり、Ｂ２は定着バイアスの基準値である。定着電圧値の標準値（範囲（Ｖ２））は、例えば、気温２３度、湿度５０％の環境において含水率７％のシートＳ（以下、「標準シートＳ」ともいう。）を定着ニップＮ２に通過させた場合の定着電圧値に基づいて設定されている。また、定着バイアスの基準値（Ｂ２）は、標準シートＳを定着ニップＮ２に通過させた場合にオフセット現象を抑制することができるように設定されている。なお、定着電圧値（Ｖ１〜Ｖ３）や定着バイアス（Ｂ１〜Ｂ３）は、予め実験的に求めることが好ましい。
【００３９】
＜定着バイアスの制御＞
次に、図２および図６を参照して、定着バイアスの制御について説明する。図６は定着バイアスの制御を示すフローチャートである。
【００４０】
カラープリンター１は、外部機器（図示せず）からの印刷データを受信すると、既に説明した画像形成動作を実行する。定着装置７が１枚目のシートＳにトナー像を定着する場合、制御部４７は、定着バイアスの基準値（Ｂ２）を出力するように可変回路４３Ａを制御する。
【００４１】
計測部４６は、定着電圧値を所定の時間間隔で計測し、その計測結果を制御部４７に送信する。制御部４７は、計測部４６から送信された定着電圧値を受信する（ステップＳ１）。また、制御部４７は、センサー３８からＯＮ信号を受信したか否かを判定する（ステップＳ２）。センサー３８がＯＦＦ信号を出力する場合（ステップＳ２でＮＯ）、制御部４７は定着電圧値を受信し続ける。センサー３８がＯＮ信号を出力する場合（ステップＳ２でＹＥＳ）、制御部４７は受信した定着電圧値をメモリーに記憶する（ステップＳ３）。すなわち、制御部４７は、定着ニップＮ２にシートＳを通過させている期間に対応する定着電圧値（通紙中の定着電圧値）を認識する。なお、センサー３８からＯＮ信号の出力が予め設定した時間以上続く場合、制御部４７は、定着ニップＮ２で搬送不良（所謂ジャム）が発生したと判断し、画像形成動作を停止する制御を実行する。
【００４２】
次に、制御部４７は、テーブルから通紙中の定着電圧値に対応する定着バイアスを決定する（ステップＳ４）。そして、制御部４７は、決定した定着バイアスを出力するように可変回路４３Ａを制御する（ステップＳ５）。すなわち、制御部４７は、シートＳが定着ニップＮ２を通過している状態において計測部５１に計測された定着電圧値に応じて放電電極４０に印加する定着バイアスを変更する。定着バイアス電源４３は、２枚目以降のシートＳにトナー像を定着する場合に、上記制御で決定した定着バイアスを放電電極４０に印加する。
【００４３】
具体的に説明すると、シートＳの含水率が増加（電気抵抗値が低下）する程、定着装置７においてオフセット現象の発生リスクが高まる。含水率の高い（低抵抗）シートＳが定着ニップＮ２を通過する場合、定着ローラー３１の表面上にある電荷がシートＳに移り易くなる。すると、コロナ放電が促進されるため、定着バイアス電源４３の定着電圧値が低下する。これに対し、含水率の低い（高抵抗）シートＳが定着ニップＮ２を通過する場合、定着ローラー３１の表面上にある電荷がシートＳに移り難くなる。すると、コロナ放電が発生し難くなるため、定着バイアス電源４３の定着電圧値が高くなる。
【００４４】
例えば、図５にＶ１で示すように、通紙中の定着電圧値が標準値（Ｖ２）よりも低い場合（オフセット現象が発生し易いシートＳである場合）、制御部４７は、放電電極４０に印加する定着バイアスを基準値（Ｂ２）よりも高い値（Ｂ３）に変更する。逆に、図５にＶ３で示すように、通紙中の定着電圧値が標準値（Ｖ２）よりも高い場合（オフセット現象が発生し難いシートＳである場合）、制御部４７は、放電電極４０に印加する定着バイアスを基準値（Ｂ２）よりも低い値（Ｂ１）に変更する。
【００４５】
以上説明した本実施形態に係る定着装置７では、帯電器３４が定着バイアス電源４３と放電電極４０との間に生じる定着電圧値の減少に応じて放電電極４０に印加する定着バイアスを増加させる構成とした。また、帯電器３４が定着バイアス電源４３と放電電極４０との間に生じる定着電圧値の増加に応じて放電電極４０に印加する定着バイアスを減少させる構成とした。つまり、シートＳの含水率等に応じた定着電圧値の変化を定着バイアスに反映する構成とした。この構成によれば、シートＳの含水率に応じた適正な定着バイアスを帯電器３４（放電電極４０）に印加することができる。例えば、含水率の低いシートＳである場合、オフセット現象の発生リスクが低いため、定着バイアスを低くすることができる。これにより、放電生成物の生成を大幅に抑制することができる。また、放電電極４０に対する放電生成物やワックス等の浮遊物等の付着量を減らすことができ、帯電器３４の劣化を抑制することができる。
【００４６】
また、本実施形態に係る定着装置７では、放電電極４０が略鋸歯状に形成されていた。この構成によれば、針電極４０Ａから定着ローラー３１に向けて効率良くコロナ放電を発生させることができ、定着ローラー３１を軸方向に略均一に帯電させることができる。
【００４７】
また、本実施形態に係る定着装置７では、一対の接地電極４４が放電電極４０を挟んで対向することで、放電電極４０から安定したコロナ放電を発生させることができる。また、一対の接地電極４４がツェナーダイオード４５を介して接地することで、定着ローラー３１の表面の帯電を促進することができる。
【００４８】
なお、本実施形態に係る定着装置７では、高抵抗のシートＳである場合に定着バイアスを低くしていたが、本発明はこれに限定されない。例えば、オフセット現象が発生する虞が非常に低い場合には、制御部４７は、帯電器３４（定着バイアス電源４３）を停止する制御を行ってもよい（定着ローラー３１の表面を帯電させなくてもよい）。
【００４９】
また、本実施形態に係る定着装置７では、定着電圧値が３つに区分けされ、定着バイアスを３段階に変化させていたが、本発明はこれに限定されない。定着電圧値は２つ以上に区分けされていればよく、定着バイアスも２段階以上に変化することができればよい。また、定着電圧値と定着バイアスとを一次式で表せる関係（線形）とするようにテーブルを設定してもよい。つまり、定着電圧値の増減に伴って滑らかに定着バイアスを増減するように制御してもよい。また、本実施形態に係る定着装置７では、定着電圧値の標準値や定着バイアスの基準値が３段階の中間の値であったが、これに限らず、中間の値よりも低い値または高い値を標準値や基準値にしてもよい。
【００５０】
また、本実施形態に係る定着装置７では、シートＳが定着ニップＮ２を通過している状態（通紙中）を検出するために、制御部４７がセンサー３８の出力結果を用いていた（ステップＳ２参照）が、本発明はこれに限定されない。例えば、制御部４７は、順次受信した定着電流値が閾値以上に変化した場合に通紙中であると判断するようにしてもよい。
【００５１】
また、本実施形態に係る定着装置７では、制御部４７が画像形成動作を制御するメイン基板（図示せず）とは別個の装置であったが、本発明はこれに限定されない。例えば、制御部４７が、メイン基板であってもよいし、またはメイン基板に含まれていてもよい。
【００５２】
また、本実施形態に係る定着装置７では、定着ベルト３１Ｃが１つの定着ローラー３１の表面を構成していたが、本発明はこれに限定されない。図示は省略するが、定着部材が定着ベルトを複数のローラーに掛け回して構成されていてもよい。また、帯電器３４は、略鋸歯状の電極を含んでいたが、これに限らず、絶縁性に部品に架設された電極としての放電ワイヤーを含む帯電器であってもよい。さらに、帯電器３４は、グリッド電極を更に含むスコロトロン帯電器であってもよい。
【００５３】
また、本実施形態に係るカラープリンター１では、正極性に帯電したトナーを用いていたが、これに限らず、負極性に帯電したトナーを用いてもよい。この場合、帯電器３４は定着ローラー３１の表面を負極性に帯電させることが好ましい。
【００５４】
また、本実施形態の説明では、一例として、本発明をカラープリンター１に適用した場合を示したが、これに限らず、例えば、モノクロプリンター、複写機、ファクシミリまたは複合機等に本発明を適用してもよい。
【００５５】
なお、上記実施形態の説明は、本発明に係る定着装置およびこれを備えた画像形成装置
における一態様を示すものであって、本発明の技術範囲は、上記実施形態に限定されるものではない。
【符号の説明】
【００５６】
１      カラープリンター（画像形成装置）
７      定着装置
３１    定着ローラー（定着部材）
３２    加圧ローラー（加圧部材）
３４    帯電器
４０    放電電極
４０Ａ  針電極
４３    定着バイアス電源（電源）
４４    接地電極
４５    ツェナーダイオード
４６  計測部
４７  制御部
Ｎ２    定着ニップ（ニップ）
Ｓ      シート（媒体）
【図１】
2018112585.tif 000003
【図２】
2018112585.tif 000004
【図３】
2018112585.tif 000005
【図４】
2018112585.tif 000006
【図５】
2018112585.tif 000007
【図６】
2018112585.tif 000008